【事件の表示】
　特願２００３−１７１１２９「印刷対象データ印刷方法，および印刷対象データ印刷装置」拒絶査定不服審判事件〔平成１６年　１月２９日出願公開、特開２００４−　３０６６０〕について、次のとおり審決する。
【結　論】
　本件審判の請求は、成り立たない。
【理　由】
１．手続きの経緯・本願発明
　本願は、平成１５年６月１６日（優先権主張２００２年６月１８日、韓国）の出願であり、平成１８年１１月２９日付けで拒絶査定がなされ、それに対して平成１９年３月５日に拒絶査定不服の審判請求がなされたものであって、その請求項８に係る発明は、明細書及び図面の記載からみて、その特許請求の範囲の請求項８に記載された事項により特定される次のとおりのものと認める。（以下、「本願発明」という。）
　
「ネットワーク上の印刷対象データを印刷する印刷対象データ印刷装置において：
　前記印刷対象データを印刷する際のプリンタ装置の印刷環境を設定するための設定命令データを出力するプリンタ設定インターフェース部と，
　前記ネットワークを通じてアクセスした印刷対象データまたは前記設定命令データを，マークアップ言語からなる印刷対象マークアップデータまたは設定命令マークアップデータにそれぞれ変換するマークアップデータ変換部と，
　前記印刷対象マークアップデータまたは前記設定命令マークアップデータを伝送するマークアップデータ伝送部と，
　前記印刷対象マークアップデータまたは前記設定命令マークアップデータを解釈して，印刷または前記プリンタ装置の印刷環境を設定するマークアップデータ処理部とを具備することを特徴とする，印刷対象データ印刷装置。」
　
２．引用例
　原査定の拒絶の理由に引用された特開２００１−２９０６１４号公報（以下、「引用例」という。）には、図面とともに次の記載がある。
　
（イ）「【０００２】
【従来の技術】従来、ＨＴＭＬ（Hyper Text Makeup Language）やＢＭＬ（Broadcast Makeup Language）等のマークアップ言語によって記述されたマークアップデータを用いた印刷は、コンピュータ等により印刷用データを作成し、印刷装置に送信して印刷装置で実行することが多かった。
【０００３】すなわち、従来では、マークアップデータを受信し、表示する機能を持った装置上でマークアップデータを解釈し、メモリ上に印刷用データを作成することをコンピュータで行うことが多かった。そして、コンピュータは、パラレル又はＵＳＢインターフェースを経由して印刷用データを印刷装置に送信し、印刷装置で印刷を行わせていた。
【０００４】
【発明が解決しようとする課題】しかし、インターネットやディジタル放送等の普及に伴い、マークアップデータを表示する機能を実装したブラウザは、処理能力が高く処理用メモリを多く実装したコンピュータ等の装置のみならず、処理能力や搭載できるメモリ容量に制限のあるディジタルテレビや携帯端末等の機器にも搭載されることが多くなってきている。
【０００５】このような機器では、コンピュータ上で行っていたように、マークアップデータから印刷用データを作成して印刷装置に送信するという方法を採ることがメモリ容量の制限等によって困難であった。
【０００６】また、限られた処理能力やメモリ容量を、印刷用データの作成や、印刷用データの送信に費やすことで、他の処理を実行することができないという問題が発生する可能性がある。
【０００７】更に、インターネットやディジタル放送等でデータの配信を行うに際して、必ずしもブラウザによる印刷用データの作成を必要としない、印刷のみを目的としたデータの配信も考えられるが、これらに対処するためにテレビ装置や携帯端末等のデータ受信機器にマークアップ言語の解釈機能を持たせることは、冗長な設計となって、機器の低コストを実現することが困難となっている。
【０００８】そこで、本発明は、上述したような実情に鑑みて提案されたものであり、マークアップ言語で記述したデータを用いて印刷処理をするに際して、データ受信機器の処理負担を軽減することができる印刷用データ作成装置及び方法、印刷装置及び方法、データ受信装置及び方法、印刷システム及び印刷方法を提供することを目的とする。」（段落【０００２】〜【０００８】）
　
（ロ）「【００３０】
【発明の実施の形態】以下、本発明の実施の形態について図面を参照しながら詳細に説明する。
【００３１】本発明は、例えば図１に示すような印刷システム１に適用される。
【００３２】この印刷システム１は、データ受信装置１０と、データ変換装置２０とがシリアルバス１Ａを介して接続され、データ変換装置２０に印刷装置３０が接続されて構成されている。ここで、シリアルバス１Ａは、ＩＥＥＥ（The Institute of Electrical and Electronics Engineers）１３９４規格に準拠したバス、ＵＳＢ（Universal Serial Bus）規格に準拠したバス、イーサネット（登録商標）等のＬＡＮ（Local Area Network）規格に準拠した接続関係を有する回線であっても良い。なお、以下の説明では、シリアルバス１ＡがＩＥＥＥ１３９４規格に準拠したバスである場合の一例について説明する。
【００３３】データ受信装置１０は、例えば、ＳＴＢ（Set Top Box）、ディジタルテレビ、携帯電話等の外部の通信回線からデータを受信する機器である。このデータ受信装置１０は、例えばインターネット等の通信回線網と接続され、当該通信回線網を介して、ＨＴＭＬ（Hypertext Markup Language）やＢＭＬ（Broadcast Markup Language）等のマークアップ言語で記述されたマークアップデータが送信される。このデータ受信装置１０は、送信されたマークアップデータを受信して、データ記憶部１１に一旦記憶する。
【００３４】このデータ受信装置１０は、例えばユーザによる指示に応じて、マークアップデータを用いた印刷を行うときには、データ記憶部１１に格納したマークアップデータを通信制御部１２、シリアルバス１Ａを介してデータ変換装置２０に送信する。」（段落【００３０】〜【００３４】）
　
（ハ）「【００３８】更に、通信制御部１２は、ＡＶ／Ｃコマンド（AV/C Digital Interface Command Set）を用いたＡＶ／Ｃプリンティングプロトコルに従ってマークアップデータをデータ変換装置２０に伝送して印刷を行わせる。このとき、通信制御部１２は、ＦＣＰ（Function Control Protocol）におけるコントローラとして機能し、ターゲットである通信制御部２１側にＡＶ／Ｃコマンドを送信する。この通信制御部１２は、マークアップデータをＩＥＥＥ１３９４規格の非同期通信方式に従ってデータ変換装置２０側に伝送する。」（段落【００３８】）
　
（ニ）「【００４４】また、データ部には、サブユニットＩＤに続いて、演算の種類を示すopcode、演算対象となるoperand[0]〜operand[n]が格納され、データ変換装置２０に送信するマークアップデータ（data）や、印刷装置３０に対するＡＶ／Ｃコマンド（command）が格納される。ここで、データフィールドに格納されるコマンドは、印刷装置３０を制御するＡＶ／Ｃコマンドと称されるコマンドセットに含まれるコマンドである。ここで、上記ＣＴＳは、ＦＣＰの種類を分類し、例えば送信されるパケットがコマンドであるときに、その値が００００ならば、データフィールドにはＩＥＥＥ１３９４のＡＶ／Ｃ Digital Interface Command Setで定義されたＡＶ／Ｃコマンドがデータ部に格納されていることを示す。
【００４５】データ部に格納されてデータ受信装置１０からデータ変換装置２０に送信されるマークアップデータは、図４に示すようなデータ構造を有する。
【００４６】図４によれば、マークアップデータは、画像データや文書データ等の印刷処理に必要な要素データ（１）〜（ｎ）からなる要素データ部と、要素データ（１）〜（ｎ）に対応した付加情報からなる付加情報部とからなる。
【００４７】付加情報部は、マークアップデータの全体の長さをデータ長情報が格納され、続いて、各要素データ毎の付加情報が格納される。各要素データ毎の付加情報としては、マークアップデータの先頭から各要素データの先頭までの長さを示すオフセット情報、各要素データの長さを示すデータ長情報、各要素データの種類を識別するための種別情報、各要素データを識別する名前の長さを示すための識別長情報、各要素データの名前を示す識別情報が付加される。
【００４８】データ変換装置２０は、データ受信装置１０とシリアルバス１Ａを介して接続される通信制御部２１を備え、通信制御部２１により受信したマークアップデータをデータ記憶部２２で記憶する。このデータ変換装置２０の通信制御部２１は、データ受信装置１０の通信制御部１２との間でアシンクロナスコネクションの確立を行って、シリアルバス１Ａを介してアシンクロナスパケットの受信をする。
【００４９】通信制御部２１は、シリアルバス１Ａを介して受信したアシンクロナスパケットに含まれたマークアップデータを取りだしてデータ記憶部２２に格納する。
【００５０】また、このデータ変換装置２０は、データ記憶部２２に記憶したマークアップデータを解釈して、印刷装置３０で印刷処理を行うための印刷用データに変換するデータ変換部２３を備える。
【００５１】データ変換部２３は、データ記憶部２２に格納されたマークアップデータを読み出し、マークアップデータに付加されている付加情報に従って印刷する対象となる文書データ、画像データを抽出し、当該文書データ、画像データを印刷用データに変換する。このデータ変換部２３は、印刷用データをデータ記憶部２２に格納する。データ記憶部２２に格納された印刷用データは、印刷装置３０に伝送媒体を介して送信される。
【００５２】印刷装置３０は、データ受信装置１０からのデータ伝送要求（キャプチャコマンド）に従って印刷用データを入力し、ラスタ処理、ディザ処理等を行ってプリンタヘッドを動作させ、紙等の印刷媒体に印刷を行う。
【００５３】このような印刷システム１において、データ受信装置１０で受信したマークアップデータを用いた印刷を行うときには、例えば、データ受信装置１０で図５のフローチャート示すような処理を行う。
【００５４】図５によれば、先ず、データ受信装置１０でマークアップデータを受信し、図示しない表示機構により画像や文書を表示する。これに応じ、データ受信装置１０は、ユーザに操作されることで、印刷するべき画像又は文書が選択される（ステップＳ１）。
【００５５】このとき、データ受信装置１０は、例えば図６に示すような画面表示をする。図６によれば、例えば主画面として、宣伝内容（コマーシャル）を示すコマーシャル放送をマークアップデータに従って表示し、副画面に宣伝内容に関するパンフレット要求をするか否かを示す表示画面を表示する。そして、データ受信装置１０は、ユーザからの操作により、パンフレット要求が選択される。
【００５６】次に、データ受信装置１０は、パンフレット内容を示す画像や文書を含むマークアップデータを通信制御部１２内のメモリに取り込む（ステップＳ２）。データ受信装置１０は、メモリへの取込を終了すると（ステップＳ３）、通信制御部１２からデータ変換装置２０に図７に示すパケット構造を有するデータ伝送要求（キャプチャコマンド）をデータ受信装置１０に送信する（ステップＳ４）。」（段落【００４４】〜【００５６】）
　　
（ホ）「【００５９】次に、データ受信装置１０は、データ伝送要求で指定した内容のマークアップデータをアシンクロナスパケットに含めてデータ受信装置１０に送信する（ステップＳ５）。そして、マークアップデータが送信されたデータ変換装置２０では、通信制御部２１により、アシンクロナスパケットからマークアップデータを取り出し、データ記憶部２２に格納する。
【００６０】次に、データ変換部２３は、データ記憶部２２からマークアップデータを読み出し、マークアップデータの先頭に付加された種別情報、識別情報を参照することでパンフレット要求に対する画像、文書を検索して、オフセット情報を参照してパンフレット内容を示す要素データを取り出し、要素データを印刷用データに変換する処理をする。データ変換部２３は、変換して得た印刷用データをデータ記憶部２２に格納する。
【００６１】次に、印刷装置３０は、印刷用データをデータ記憶部２２から伝送媒体を介して読み出し、内部のプリントエンジンを駆動することで、印刷媒体にパンフレット内容を印刷する。
【００６２】このような印刷システム１では、データ受信装置１０がＳＴＢやディジタルＴＶ等であって、コンピュータと比較して処理能力が低く、搭載しているデータ記憶部１１のメモリ容量に制限がある場合であっても、データ受信装置１０からデータ変換装置２０にマークアップデータを送信してデータ変換装置２０の内部でマークアップデータの解釈、印刷用データへの変換を行うことができる。したがって、この印刷システム１では、印刷を依頼する側の機器（データ受信装置１０）で印刷するための処理を不要とし、データ受信装置１０に搭載する機能が少なくても、マークアップデータを用いた印刷を印刷装置３０で実行することができる。」（段落【００５９】〜【００６２】）
　
（ヘ）「【００８１】なお、上述した一例では、データ変換装置と印刷装置とが印刷用データを伝送する伝送媒体で接続されている一例について説明したが、データ変換装置と印刷装置とが一体の装置であっても、本発明が適用可能であり、上述と同様の効果を得ることができる。」（段落【００８１】）
　
　以上の記載によれば、この引用例には以下のような発明（以下、「引用例発明」という。）が開示されていると認められる。
　　
「インターネット等の通信回線網を介して送信されたＨＴＭＬ（Hypertext Markup Language）やＢＭＬ（Broadcast Markup Language）等のマークアップ言語で記述されたマークアップデータを印刷する印刷システムにおいて，
　前記インターネット等の通信回線網を介して受信したマークアップデータを，ユーザの選択操作により印刷するべき画像又は文書を含むマークアップデータとするデータ受信装置１０と，
　ユーザによる指示に応じてデータ伝送要求（キャプチャコマンド）と前記印刷するべき画像又は文書を含むマークアップデータを送信する通信制御部１２と，
　前記印刷するべき画像又は文書を含むマークアップデータを解釈して印刷用データに変換するデータ変換部２３と，
　前記データ伝送要求（キャプチャコマンド）に従って前記印刷用データを入力し印刷を行う印刷装置３０とを具備することを特徴とする印刷システム。」
　　
３．対　比
　本願発明と上記引用例発明とを対比する。
　引用例発明の「インターネット等の通信回線網」は、本願発明の「ネットワーク」に相当し、引用例発明の「インターネット等の通信回線網を介して送信されたＨＴＭＬ（Hypertext Markup Language）やＢＭＬ（Broadcast Markup Language）等のマークアップ言語で記述されたマークアップデータ」は、本願発明の「ネットワーク上の印刷対象データ」に相当する。
　引用例発明の「印刷システム」及び「印刷装置３０」は、それぞれ本願発明の「印刷対象データ印刷装置」及び「プリンタ装置」に相当するといえる。
　引用例発明の「印刷するべき画像又は文書を含むマークアップデータ」は、本願発明の「前記ネットワークを通じてアクセスした印刷対象データ」に相当する。
　引用例発明の「ユーザによる指示に応じてデータ伝送要求（キャプチャコマンド）と前記印刷するべき画像又は文書を含むマークアップデータを送信する通信制御部１２」は、本願発明の「印刷対象マークアップデータを前記プリンタ装置に伝送するマークアップデータ伝送部」に相当するといえる。
　引用例発明の「前記印刷するべき画像又は文書を含むマークアップデータを解釈して印刷用データに変換するデータ変換部２３」及び「前記データ伝送要求（キャプチャコマンド）に従って前記印刷用データを入力し印刷を行う印刷装置３０」は、本願発明の「前記印刷対象マークアップデータを解釈して，印刷するマークアップ処理部」に相当するといえる。
　
　したがって、両者は、
「ネットワーク上の印刷対象データを印刷する印刷対象データ印刷装置において，
　前記ネットワークを通じてアクセスした印刷対象マークアップデータを伝送するマークアップデータ伝送部と，
　前記印刷対象マークアップデータを解釈して，印刷するマークアップデータ処理部とを具備することを特徴とする，印刷対象データ印刷装置。」
で一致するものであり、次の（１）〜（３）の点で相違している。
　
（１）本願発明は、マークアップデータ変換部が設定命令データを設定命令マークアップデータに変換し，マークアップデータ伝送部が前記設定命令マークアップデータを伝送し，マークアップデータ処理部が前記設定命令マークアップデータを解釈して，前記プリンタ装置の印刷環境を設定するのに対し、引用例発明は設定命令データをマークアップデータに変換していない点。
　
（２）本願発明は、「前記印刷対象データを印刷する際のプリンタ装置の印刷環境を設定するための設定命令データを出力するプリンタ設定インターフェース部」を具備するのに対し、引用例発明は設定命令データを出力するプリンタ設定インターフェース部について明らかではない点。
　
（３）本願発明では、「ネットワークを通じてアクセスした印刷対象データを，マークアップ言語からなる印刷対象マークアップデータに変換するマークアップデータ変換部」を具備するのに対し、引用例発明は、マークアップデータ変換部を具備していない点。
　
４．当審の判断
　そこで、上記相違点について検討する。
・相違点（１）について
　本願発明は、「前記ネットワークを通じてアクセスした印刷対象データまたは前記設定命令データを，マークアップ言語からなる印刷対象マークアップデータまたは設定命令マークアップデータにそれぞれ変換するマークアップデータ変換部と，前記印刷対象マークアップデータまたは前記設定命令マークアップデータを伝送するマークアップデータ伝送部と，前記印刷対象マークアップデータまたは前記設定命令マークアップデータを解釈して，印刷または前記プリンタ装置の印刷環境を設定するマークアップデータ処理部」を具備するものである。
　しかしながら、本願発明において、「マークアップデータ変換部」は、「印刷対象マークアップデータ」、「設定命令マークアップデータ」のうちいずれか一方（択一的に（「または」で）記載されている。）に変換し、「マークアップデータ伝送部」は、「印刷対象マークアップデータ」、「設定命令マークアップデータ」のうちいずれか一方（択一的に（「または」で）記載されている。）を伝送し、「マークアップデータ処理部」は、印刷対象マークアップデータ」、「設定命令マークアップデータ」のうちいずれか一方（択一的に（「または」で）記載されている。）を処理するものであるから、この点は実質的な相違点ではない。
　
・相違点（２）について
　引用例発明は、「ユーザによる指示に応じてデータ伝送要求（キャプチャコマンド）」を送信し、印刷装置において「前記データ伝送要求（キャプチャコマンド）に従って前記印刷用データを入力し印刷を行う」ものであり、「データ伝送要求（キャプチャコマンド）」は「印刷対象データを印刷する際のプリンタ装置の印刷環境を設定するための設定命令データ」ということができる。
　また、たとえ、本願発明における「プリンタ装置の印刷環境」が印刷サイズ、印刷枚数等であったとしても、印刷装置に対し印刷要求と印刷対象データを出力する場合に、ユーザが所望とする印刷対象データを印刷する際の印刷サイズ、印刷枚数等を設定するための設定命令データを印刷要求に含ませるためのインターフェース部を設けることは、当業者が必要に応じて容易になし得る設計事項にすぎない。
　
・相違点（３）について
　引用例発明は、インターネット等の通信回線網を介して受信した印刷対象データが、ＨＴＭＬ（Hypertext Markup Language）やＢＭＬ（Broadcast Markup Language）等のマークアップ言語で記述されたマークアップデータであって、データ変換部２３がマークアップデータを解釈して印刷用データに変換できるものであるから、「ネットワークを通じてアクセスした印刷対象データを，マークアップ言語からなる印刷対象マークアップデータに変換する」ことは必要としていないものである。
　しかしながら、インターネット等の通信回線網を介してアクセスしたデータが多様なフォーマット、多様なプログラム言語で記述されていることは、文献を示すまでもなく本出願の優先日前周知である。
　そして、取得した印刷用データが印刷に適したマークアップデータでない場合に印刷用データを印刷に適したマークアップデータへ変換し、変換したマークアップデータを印刷可能なデータにすることは、本出願の優先日前周知の技術である。（例えば、特開２００２−１４７９０号公報段落【００３５】，【００４７】〜【００４９】，【００５４】，【００５５】の記載、特開２００２−９１７２６号公報段落【００２５】〜【００２８】，【００３０】〜【００３４】の記載、特開２００２−７８６号公報段落【００４０】〜【００４３】の記載参照）
　したがって、引用例発明において、ネットワークを通じてアクセスした印刷対象データを，マークアップ言語からなる印刷対象マークアップデータに変換するマークアップデータ変換部を具備するようにすることは、当業者が容易になし得ることである。
　　
　また、上記の相違点に基づく本願発明の作用効果も、引用例発明及び周知技術から、当業者であれば予想できる範囲内のものである。
　
５．むすび
　以上のとおり、本願請求項８に係る発明は、引用例発明及び周知技術に基づいて当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。